(57)【要約】【課題】電線の接続完了表示を行いつつ解除釦の操作性を向上する。【解決手段】電線１１０が端子板１に接続されていない非接続状態のときには解除釦３０の操作部３１が器体１００内に収納されて器体１００の側面から突出しない。一方、電線１１０が端子板１に接続された接続状態のときには解除釦３０の操作部３１が縦溝１０３を通して器体１００の側面から突出する。このため、器体１００の側面に対して操作部３１が突出するか否かで電線１１０の接続完了表示を行うことができる。しかも、電線１１０の接続を解除する際には器体１００の側面から突出した操作部３１を押し操作すればよいから、操作部３１が器体１００の側面に突出しない場合に比較して解除釦３０の操作性が向上する。【選択図】        図１
2006019182.tif 000002
【特許請求の範囲】
【請求項１】
配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、該解除手段は、前記器体に設けられた開口を通して器体表面に露出し手動操作される操作部と、該操作部が押し操作されたときにばね力に抗して前記接続手段の電線に食い込んだ前記鎖錠部を該電線から引き離す向きに押し動かす押動部とを具備した解除釦からなり、該解除釦は、前記接続手段により電線が前記端子板に接続された接続状態のときの接続位置と、電線が前記端子板に接続されていない非接続状態のときの非接続位置との間で前記器体に対して移動自在に設けられ、前記接続位置では前記操作部の少なくとも一部が前記開口を通して器体表面から突出し、前記非接続位置では前記操作部が前記開口を通して器体内に収納されて器体表面から突出しないことを特徴とする速結端子装置。
【請求項２】
前記接続手段のばね力に抗して前記解除釦を非接続位置にラッチするラッチ手段を備え、前記解除釦は、前記電線挿入孔を通して器体に導入された電線に駆動され前記ラッチ手段のラッチ状態を解除して前記操作部を非接続位置から接続位置に移動させる駆動部を具備したことを特徴とする請求項１記載の速結端子装置。
【請求項３】
前記駆動部は、前記操作部が非接続位置にあるときに前記電線挿入孔と対向し、前記非接続位置から接続位置に向かって前記電線挿入孔に近付く向きに傾斜する傾斜面を有することを特徴とする請求項２記載の速結端子装置。
【請求項４】
前記解除釦は、前記操作部が接続位置にあるときに前記器体の内壁に当接して該器体に対する移動が規制される規制手段を具備したことを特徴とする請求項１記載の速結端子装置。
【請求項５】
前記ラッチ手段は、前記器体内に設けられた係合溝と、該係合溝と係脱自在に係合する係合突起を有して前記解除釦に撓み自在に設けられたラッチ部とからなることを特徴とする請求項２記載の速結端子装置。
【請求項６】
前記解除釦が前記接続位置と非接続位置との間を移動する際に当該解除釦の前記電線の導入方向に沿った移動を阻止するストッパ手段を備えたことを特徴とする請求項１記載の速結端子装置。
【請求項７】
前記接続手段は、弾性を有する金属板によって略Ｕ字状に形成されたばね片と、ばね片の先端部に設けられた前記鎖錠部とを有する錠ばねからなり、該錠ばねは、前記ばね片の中央部が両端部に対して前記電線挿入孔から離れた位置となるように前記器体内に収納されることを特徴とする請求項１記載の速結端子装置。
【請求項８】
前記駆動部を前記電線の導入方向に沿って撓み自在としたことを特徴とする請求項３記載の速結端子装置。
【請求項９】
前記錠ばねは、前記鎖錠部を設けた前記ばね片の先端部が電線及び器体の内壁から離れる向きに曲成されたことを特徴とする請求項７記載の速結端子装置。
【請求項１０】
前記錠ばねは、前記ばね片の後端部に設けられ、当該ばね片の撓み方向に撓み自在とした１乃至複数の補助ばね片を具備することを特徴とする請求項７記載の速結端子装置。
【発明の詳細な説明】
【技術分野】
【０００１】
本発明は、速結端子装置に関するものである。
【背景技術】
【０００２】
従来、スイッチやコンセントのような配線器具においては、器体に設けた電線挿入孔を通して器体内に導入された電線を接続するために速結端子装置が広く用いられている。この種の速結端子装置は従来周知であって、スイッチにおける接点やコンセントにおける刃受などと電気的に接続された端子板と、端子板との間で電線（導体）を狭持して電線と端子板を電気的に接続すると同時に電線を鎖錠して抜け止めする鎖錠ばねと、器体に設けた操作孔を通してドライバのような工具で操作されて鎖錠ばねによる鎖錠を解除する解除釦とで構成されている（例えば、特許文献１参照）。
【０００３】
ところが上記従来例においては、速結端子装置に接続された電線を外す際に作業者が一方の手で配線器具の器体を保持し、他方の手に持った工具で解除釦を操作した状態では両手が塞がれてしまうために電線を電線挿入孔から引き抜くことが困難であった。
【０００４】
そこで本出願人は、配線器具の器体側面を貫通する溝から進退自在に突出する操作部を有して器体内に移動自在に収納された解除釦を設け、溝を通して器体側面に露出している操作部を指で押し操作したときに器体に対して移動した解除釦で鎖錠ばねによる鎖錠を解除し、一方の手で器体の保持と解除釦の操作を同時に行い、他方の手で電線を引き抜くことができるようにした速結端子装置を既に提案している（特許文献２参照）。
【０００５】
また特許文献２に記載された従来例においては、電線が接続されていないときには解除釦の操作部が溝を通して器体側面から突出しているが、電線が接続されると解除釦が移動し溝を通して操作部が器体内に収納されて器体側面から突出しなくなるため、器体側面に対して操作部が突出しているか否かで電線の接続完了表示を行っていた。
【特許文献１】特開平１１−１８５９０５号公報（段落００１４、図１）
【特許文献２】特開２００４−６３１６３号公報（段落００２９〜００３０、図２１）
【発明の開示】
【発明が解決しようとする課題】
【０００６】
しかしながら、上記後者の従来例では電線の接続状態において操作部が器体内に収納されて器体側面から突出していないため、電線の接続を解除する際に操作部を溝に押し込むように操作しなければならず、手の大きな作業者では操作部が操作しづらいという問題があった。
【０００７】
本発明は上記事情に鑑みて為されたものであり、その目的は、電線の接続完了表示を行いつつ解除釦の操作性を向上した速結端子装置を提供することにある。
【課題を解決するための手段】
【０００８】
請求項１の発明は、上記目的を達成するために、配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、該解除手段は、前記器体に設けられた開口を通して器体表面に露出し手動操作される操作部と、該操作部が押し操作されたときにばね力に抗して前記接続手段の電線に食い込んだ前記鎖錠部を該電線から引き離す向きに押し動かす押動部とを具備した解除釦からなり、該解除釦は、前記接続手段により電線が前記端子板に接続された接続状態のときの接続位置と、電線が前記端子板に接続されていない非接続状態のときの非接続位置との間で前記器体に対して移動自在に設けられ、前記接続位置では前記操作部の少なくとも一部が前記開口を通して器体表面から突出し、前記非接続位置では前記操作部が前記開口を通して器体内に収納されて器体表面から突出しないことを特徴とする。
【０００９】
この発明によれば、電線が端子板に接続されていない非接続状態のときには解除釦の操作部が器体内に収納されて器体表面から突出せず、電線が端子板に接続された接続状態のときには解除釦の操作部が開口を通して器体表面から突出するため、器体表面に対して操作部が突出するか否かで電線の接続完了表示を行うことができ、しかも、電線の接続を解除する際には器体表面から突出した操作部を押し操作すればよいから、操作部が器体表面に突出しない場合に比較して解除釦の操作性が向上する。
【００１０】
請求項２の発明は、請求項１の発明において、前記接続手段のばね力に抗して前記解除釦を非接続位置にラッチするラッチ手段を備え、前記解除釦は、前記電線挿入孔を通して器体に導入された電線に駆動され前記ラッチ手段のラッチ状態を解除して前記操作部を非接続位置から接続位置に移動させる駆動部を具備したことを特徴とする。
【００１１】
この発明によれば、ラッチ手段により解除釦が非接続位置にラッチされている状態では解除釦の押動部で鎖錠部が電線から引き離す向きに押し動かされているため、導体がより線からなる電線でも端子板と鎖錠部との間に容易に導入することが可能であり、電線によって駆動された駆動部がラッチ手段のラッチ状態を解除することで解除釦が非接続位置から接続位置に移動し、鎖錠部が電線に食い込むことで電線の抜け止めが為される。
【００１２】
請求項３の発明は、請求項２の発明において、前記駆動部は、前記操作部が非接続位置にあるときに前記電線挿入孔と対向し、前記非接続位置から接続位置に向かって前記電線挿入孔に近付く向きに傾斜する傾斜面を有することを特徴とする。
【００１３】
この発明によれば、電線挿入孔から導入された電線の先端が非接続位置にある解除釦の駆動部が有する傾斜面に当接し、傾斜面が電線に押されることで解除釦が非接続位置から接続位置に移動するため、簡単な構造で解除釦を移動させることができる。
【００１４】
請求項４の発明は、請求項１の発明において、前記解除釦は、前記操作部が接続位置にあるときに前記器体の内壁に当接して該器体に対する移動が規制される規制手段を具備したことを特徴とする。
【００１５】
この発明によれば、解除釦の操作部が接続位置を越えて器体側面から突出するのを防ぐことができる。
【００１６】
請求項５の発明は、請求項２の発明において、前記ラッチ手段は、前記器体内に設けられた係合溝と、該係合溝と係脱自在に係合する係合突起を有して前記解除釦に撓み自在に設けられたラッチ部とからなることを特徴とする。
【００１７】
この発明によれば、傾斜面が電線に押されて解除釦が非接続位置から接続位置に移動する際にラッチ部が撓んで係合突起と係合溝の係合が外れ、また操作部を押し操作して解除釦を接続位置から非接続位置に移動する際にラッチ部が撓んで係合突起が係合溝に係合するものであり、解除釦の移動を妨げることなくラッチ手段のラッチ状態を解除することができる。
【００１８】
請求項６の発明は、請求項１の発明において、前記解除釦が前記接続位置と非接続位置との間を移動する際に当該解除釦の前記電線の導入方向に沿った移動を阻止するストッパ手段を備えたことを特徴とする。
【００１９】
この発明によれば、ストッパ手段により解除釦が電線の導入方向に沿って移動しなくなり、解除釦を非接続位置から接続位置にスムーズに移動させることができる。
【００２０】
請求項７の発明は、請求項１の発明において、前記接続手段は、弾性を有する金属板によって略Ｕ字状に形成されたばね片と、ばね片の先端部に設けられた前記鎖錠部とを有する錠ばねからなり、該錠ばねは、前記ばね片の中央部が両端部に対して前記電線挿入孔から離れた位置となるように前記器体内に収納されることを特徴とする。
【００２１】
この発明によれば、錠ばねを端子板と一体に構成する場合に比較して端子板の加工が簡単になり、また前記ばね片の中央部が両端部に対して前記電線挿入孔から離れた位置となるように錠ばねを前記器体内に収納しているため、ばね片の可動範囲が十分に確保できて塑性変形が防止できる。
【００２２】
請求項８の発明は、請求項３の発明において、前記駆動部を前記電線の導入方向に沿って撓み自在としたことを特徴とする。
【００２３】
この発明によれば、操作部を押し操作して解除釦を接続位置から非接続位置に移動する際に電線の先端に駆動部が当たっても駆動部が電線の導入方向に沿って撓むため、解除釦をスムーズに非接続位置まで移動することができる。
【００２４】
請求項９の発明は、請求項７の発明において、前記錠ばねは、前記鎖錠部を設けた前記ばね片の先端部が電線及び器体の内壁から離れる向きに曲成されたことを特徴とする。
【００２５】
この発明によれば、錠ばねのばね片が撓む際にばね片の先端部が器体の内壁に引っ掛かって動かなくなるのを防ぐことができる。
【００２６】
請求項１０の発明は、請求項７の発明において、前記錠ばねは、前記ばね片の後端部に設けられ、当該ばね片の撓み方向に撓み自在とした１乃至複数の補助ばね片を具備することを特徴とする。
【００２７】
この発明によれば、ばね片の湾曲した中央部にかかる応力を補助ばね片に分散することでばね片の塑性変形が抑制できる。
【発明の効果】
【００２８】
本発明によれば、電線が端子板に接続されていない非接続状態のときには解除釦の操作部が器体内に収納されて器体表面から突出せず、電線が端子板に接続された接続状態のときには解除釦の操作部が開口を通して器体表面から突出するため、器体表面に対して操作部が突出するか否かで電線の接続完了表示を行うことができ、しかも、電線の接続を解除する際には器体表面から突出した操作部を押し操作すればよいから、操作部が器体表面に突出しない場合に比較して解除釦の操作性が向上するという効果がある。
【発明を実施するための最良の形態】
【００２９】
（実施形態１）
本実施形態の速結端子装置は、スイッチやコンセントのような配線器具に電線を接続するための端子部に用いられるものであって、図１〜図３に示すように端子板１と解除釦３０とで構成される。端子板１は、図３及び図４に示すように短冊状の主片２と、主片２の長手方向に沿った一方の端縁から下方へ垂下された略Ｓ字形の一対の接触片３と、主片２の長手方向に沿った他方の端縁から下方へ垂下された略Ｊ字形の一対の鎖錠片４とを有し、弾性を有する帯状の金属板を加工して接触片３の先端部と鎖錠片４の先端部がそれぞれ交差するように折り曲げて一体に形成される。接触片３には電線の挿入方向に沿った両端部において電線を押圧する一対の押圧部３ａ，３ｂが設けられ、押圧部３ｂと主片２の間には後述する電線挿入孔と対向し電線が挿通される挿通部５が形成されている。また、接触片３に対して内側に位置する鎖錠片４には、電線を接触片３の方へ押圧するとともに電線の一部に食い込んで抜け止めする鎖錠部４ａが先端に設けられ、鎖錠部４ａよりも下方の部位に電線（接触片３）から離れる向きに凸となる曲げ部４ｂが設けられている。但し、接触片３の幅寸法は鎖錠片４の幅寸法よりも小さく設定されている。
【００３０】
解除釦３０は合成樹脂成型品からなり、図３及び図５に示すように扁平な直方体状に形成された操作部３１と、操作部３１の一端（図３における上端）から斜め上方に突出し且つ操作部３１よりも幅広に形成された駆動部３２と、操作部３１の他端（図３における下端）から側方へ突出し略鈎形に形成された押動部３３と、押動部３３の下面から下方へ垂下した規制部３４と、押動部３３の先端から側方へ突出して上下方向に撓み自在としたラッチ部３５とが一体に形成されている。なお、ラッチ部３５の先端部には上方に突出した山形の係合突起３５ａが設けられている。また解除釦３０が非接続位置（後述する）にあるときに端子板１の挿通部５を通して電線挿入孔と対向する駆動部３２の下面には上から下に向かって操作部３１に近付く向きに傾斜する傾斜面３２ａが形成されている。
【００３１】
上述のように構成される端子板１並びに解除釦３０は、図１及び図２に示すようにスイッチやコンセントなどの配線器具の器体１００に設けられた端子板収納室１０２に収納される。器体１００は、上面が開口した箱状のボディ１００ａと、ボディ１００ａの上面に被着されるカバー１００ｂとを結合して組み立てられる。ボディ１００ａの底壁には端子板収納室１０２に通じる一対の電線挿入孔（図示せず）が貫設されている。またボディ１００ａの側面には、図２に示すように各々端子板収納室１０２に通じる縦溝１０３が開口している。そして、解除釦３０は押動部３３の先端が端子板１の鎖錠片４と対向し、駆動部３２の傾斜面３２ａが端子板１の挿通部５を通して電線の導入方向に沿って電線挿入孔と対向し、且つ操作部３１が縦溝１０３から進退自在に突出するようにして端子板１とともに端子板収納室１０２に収納される。尚、図２に示すように端子板収納室１０２には互いに鏡像の関係となる２つの解除釦３０が操作部３１を縦溝１０３にそれぞれ挿通して並置される。
【００３２】
一方、ボディ１００ａの端子板収納室１０２と対向するカバー１００ｂの内壁が電線の導入方向と略直交する方向（図１における左右方向）に沿った平面に形成され、さらに、その内壁面には解除釦３０のラッチ部３５から突出する係合突起３５ａが係脱自在に係合する係合溝１０４が設けられている（図１参照）。すなわち、電線１１０が接続されていない状態においては、図１（ａ）に示すようにラッチ部３５の係合突起３５ａが係合溝１０４に係合（ラッチ）する位置（非接続位置）まで解除釦３０が移動させてある。解除釦３０が非接続位置にあるときは端子板１の鎖錠片４が押動部３３に押動されて撓むために鎖錠部４ａと接触片３との間隔が拡がった状態にある。このとき鎖錠片４のばね力によって解除釦３０が反操作方向（図１における左方向）に弾性付勢されるが、係合突起３５ａがカバー１００ｂ内壁の係合溝１０４と係合（ラッチ）しているために解除釦３０は非接続位置に保持されることになる。
【００３３】
そして、図１（ｂ）に示すように図示しない電線挿入孔を通して電線１１０の導体１１１を接触片３と鎖錠片４との間に導入すると、挿通部５を通して導体１１１の先端が解除釦３０の駆動部３２の傾斜面３２ａに摺接し、電線１１０の導入方向と交差する向き（図１における左向き）の力が駆動部３２にはたらくから、ラッチ部３５が下方に撓んで係合突起３５ａと係合溝１０４との係合（ラッチ）が外れる。すると鎖錠片４のばね力で弾性付勢されていた解除釦３０が、器体１００の縦溝１０３を通して操作部３１が器体１００の側面から突出する方向（反操作方向）に移動し、鎖錠片４の鎖錠部４ａが導体１１１に食い込むことによって電線１１０が抜け止めされるとともに鎖錠片４のばね力によって導体１１１が接触片３に弾接する。さらに導体１１１は一対の押圧部３ａ，３ｂによって鎖錠片４の方へ押圧され、鎖錠部４ａと一対の押圧部３ａ，３ｂの押圧力が均衡して電線１１０が狭持される。また鎖錠片４のばね力で反操作方向に移動した解除釦３０は、規制部３４が図示しないボディ１００ａの内側面に当たるとともに駆動部３２がカバー１００ｂの内壁面に当たる位置（接続位置）で停止する（図１（ｂ）参照）。従って、解除釦３０が接続位置にあるときには規制部３４がボディ１００ａの内側面に当たるとともに駆動部３２がカバー１００ｂの内壁面に当たるため、操作部３１が接続位置を越えて器体１００の側面から突出することを防ぐことができる。なお、端子板収納室１０２と対向するカバー１００ｂの内壁面には、解除釦３０が接続位置にあるときにラッチ部３５の係合突起３５ａを逃がす凹部１０５が係合溝１０４と並設されており、係合突起３５ａを凹部１０５に嵌めて逃がすことにより解除釦３０が接続位置にあるときにラッチ部３５が撓められることがないから、ラッチ部３５のクリープ変形が防止できる。
【００３４】
一方、電線１１０が端子板１と接続されて解除釦３０が接続位置にあるときに器体１００の側面から突出した操作部３１を押し操作すれば、端子板１の鎖錠片４が押動部３３に押動されて接触片３から離れる向きに撓み、導体１１１に食い込んでいる鎖錠部４ａが導体１１１から離れて電線１１０の引き抜きが可能となる。但し、接続位置においては導体１１１の先端が駆動部３２の傾斜面３２ａに当接しているため、操作部３１を押し操作すると駆動部３２を支点として押動部３３が回動して鎖錠片４を撓ませることになる。
【００３５】
而して本実施形態によれば、電線１１０が端子板１に接続されていない非接続状態のときには解除釦３０の操作部３１が器体１００内に収納されて器体１００の側面から突出せず、電線１１０が端子板１に接続された接続状態のときには解除釦３０の操作部３１が縦溝１０３を通して器体１００の側面から突出するため、器体１００の側面に対して操作部３１が突出するか否かで電線１１０の接続完了表示を行うことができる。しかも、電線１１０の接続を解除する際には器体１００の側面から突出した操作部３１を押し操作すればよいから、操作部３１が器体１００の側面に突出しない場合に比較して解除釦３０の操作性が向上するという利点がある。さらに電線１１０が接続されていない非接続状態（非接続位置）において、解除釦３０の押動部３３により鎖錠片４が撓められて鎖錠部４ａと接触片３との間隔が拡がった状態にあるから、電線の導体がより線の場合でも接触片３と鎖錠部４ａとの間に容易に導入・接続できるという利点がある。
【００３６】
また本実施形態では、駆動部３２の傾斜面３２ａが導体１１１に押されて解除釦３０が非接続位置から接続位置に移動する際にラッチ部３５が撓んで係合突起３５ａと係合溝１０４の係合が外れ、反対に操作部３１を押し操作して解除釦３０を接続位置から非接続位置に移動する際にラッチ部３５が撓んで係合突起３５ａが係合溝１０４に係合するから、解除釦３０の移動を妨げることなく係合（ラッチ）状態を解除することができる。またラッチ部３５がカバー１００ｂの内壁面（係合溝１０４が設けられている面）に摺接しながら解除釦３０が移動し、カバー１００ｂの内壁がストッパ手段となるから、解除釦３０が電線１１０の導入方向に沿って移動することがなく、解除釦３０を非接続位置から接続位置にスムーズに移動させることができる。なお、本実施形態ではラッチ部３５の係合突起３５ａが係合する係合溝と係合突起３５ａを逃がす凹部とをカバー１００ｂの内壁に設けているが、図６に示すように端子板１の主片２に係合溝２ａと凹部２ｂを設け、係合突起３５ａをラッチ部３５の先端から下向きに突出させる構造としても構わない。
【００３７】
（実施形態２）
ところで、実施形態１では端子板１と他の導電部材（スイッチにおける接点やコンセントにおける刃受）との連結構造については具体的に説明しなかったが、通常は金属板を加工して端子板１と他の導電部材とを一体に形成することが望ましい。しかしながら、実施形態１では従来例における端子板と鎖錠ばねを一体に形成した関係上、他の導電部材を一体化する場合に非常に複雑な形状の金型が必要となり、かかる金型の複雑化を避けようとすれば端子板と他の導電部材とをかしめや溶接などの方法で連結しなければならない。
【００３８】
そこで本実施形態においては、図７及び図８に示すように端子板１から鎖錠片４を取り除き、弾性を有する金属板によって略Ｕ字状に形成されたばね片１０ａと、ばね片１０ａの先端部に設けられた鎖錠部１０ｂとを有する錠ばね１０で接続手段を構成することにより、端子板１の形状を簡素化している。
【００３９】
端子板１は、図９に示すように主片２の端縁から接触片３と対向する向きに垂下された当接片７が鎖錠片４の代わりに設けられており、鎖錠部１０ｂと対向するばね片１０ａの平坦部を当接片７に当接し且つばね片１０ａの湾曲した中央部が両端部に対して電線挿入孔１０１から離れた位置となるように端子板１の内側に錠ばね１０が配置される（図８参照）。
【００４０】
錠ばね１０は、図１０に示すように弾性を有するとともに導電率が高い帯板状の金属板を曲げ加工することで略Ｕ字状のばね片１０ａが形成され、外側に折り曲げられたばね片１０ａの先端部に切り起こし形成された略Ｓ字状の鎖錠片１０ｃの先端に鎖錠部１０ｂが設けられている。また錠ばね１０のばね片１０ａ後端部（平坦部）にはばね片１０ａの撓み方向に撓み自在とした２つの補助ばね片１０ｄ，１０ｅが設けられている。一方の補助ばね片１０ｄはばね片１０ａの平坦部に逆Ｕ字形の溝を形成し、その溝の内側の部位を略Ｖ字形に折曲してなり、折曲された曲げ部がばね片１０ａの平坦部よりも外側に突出している。他方の補助ばね片１０ｅはばね片１０ａの平坦部の下端中央から垂下された帯状の部位を略へ字状に折曲してなる。そして、図８に示すように端子板１の内側に錠ばね１０が組み込まれた状態では２つの補助ばね片１０ｄ，１０ｅが端子板１の当接片７と当接している。
【００４１】
一方、本実施形態における解除釦３０は、図１２に示すようにラッチ部３５が操作部３１の略中央から突出する点と、係合突起３５ａがラッチ部３５の先端から下向きに突出する点と、操作部３１に対して駆動部３２を撓み自在に形成した点とを除けば実施形態１とほぼ共通の構成を有しているから、共通の構成要素には同一の符号を付して説明を省略する。
【００４２】
上述のように構成された端子板１と錠ばね１０とは、図１３（ａ）に示すように接触片３と当接片７との間に錠ばね１０を収めた状態で器体１００の端子板収納室１０２に端子板１が収納される。また解除釦３０は、押動部３３の先端を端子板１の鎖錠片４と対向させ、駆動部３２の傾斜面３２ａを端子板１の挿通部５を通して電線の導入方向に沿って電線挿入孔１０１と対向させるとともに、操作部３１が器体１００の側面に開口する縦溝（図示せず）から進退自在に突出するようにして端子板１及び錠ばね１０とともに端子板収納室１０２に収納される。尚、図示は省略しているが端子板収納室１０２には互いに鏡像の関係となる２つの解除釦３０が操作部３１を縦溝にそれぞれ挿通して並置される。このとき、電線１１０が接続されていない状態においては、図１３（ａ）に示すようにラッチ部３５の係合突起３５ａがボディ１００ａに設けられた係合溝１０６に係合（ラッチ）する位置（非接続位置）まで解除釦３０が移動させてある。解除釦３０が非接続位置にあるときは錠ばね１０のばね片１０ａが押動部３３に押動されて撓むために鎖錠部１０ｂと端子板１の接触片３との間隔が拡がった状態にある。このときばね片１０ａのばね力によって解除釦３０が反操作方向（図１３における右方向）に弾性付勢されるが、係合突起３５ａがボディ１００ａの係合溝１０６と係合（ラッチ）しているために解除釦３０は非接続位置に保持されることになる。
【００４３】
そして、図１３（ｂ）に示すようにボディ１００ａの底壁に貫設された電線挿入孔１０１を通して電線１１０の導体１１１を端子板１の接触片３と錠ばね１０の鎖錠片１０ｃとの間に導入すると、挿通部５を通して導体１１１の先端が解除釦３０の駆動部３２の傾斜面３２ａに摺接し、電線１１０の導入方向と交差する向き（図１３における右向き）の力が駆動部３２にはたらくから、ラッチ部３５が上方に撓んで係合突起３５ａと係合溝１０６との係合（ラッチ）が外れる。するとばね片１０ａのばね力で弾性付勢されていた解除釦３０が、器体１００の縦溝を通して操作部３１が器体１００の側面から突出する方向（反操作方向）に移動し、錠ばね１０の鎖錠部１０ｂが導体１１１に食い込むことによって電線１１０が抜け止めされるとともにばね片１０ａのばね力によって導体１１１が接触片３に弾接する。さらに導体１１１は一対の押圧部３ａ，３ｂによって錠ばね１０の方へ押圧され、鎖錠部１０ｂと一対の押圧部３ａ，３ｂの押圧力が均衡して電線１１０が狭持される。またばね片１０ａのばね力で反操作方向に移動した解除釦３０は、規制部３４が図示しないボディ１００ａの内側面に当たる位置（接続位置）で停止する（図１３（ｃ）参照）。なお、解除釦３０が接続位置にあるときには、係合溝１０６に対して接触片３寄りの位置に設けられた凹部１０７にラッチ部３５の係合突起３５ａが嵌り、解除釦３０が接続位置にあるときにラッチ部３５が撓められないようにしてクリープ変形を防止している。
【００４４】
一方、電線１１０が端子板１と接続されて解除釦３０が接続位置にあるときに器体１００の側面から突出した操作部３１を押し操作すれば、錠ばね１０のばね片１０ａが押動部３３に押動されて接触片３から離れる向きに撓み、導体１１１に食い込んでいる鎖錠部１０ｂが導体１１１から離れて電線１１０の引き抜きが可能となる。ここで本実施形態では、解除釦３０の駆動部３２を操作部３１に対して撓み自在としており、操作部３１を押し操作したときに導体１１１の先端に押された駆動部３２が撓むため、実施形態１のように解除釦３０を回動させることなく接続位置から非接続位置へスムーズに移動させることが可能である。
【００４５】
而して本実施形態では、端子板１から鎖錠片４を取り除いて錠ばね１０で接続手段を構成するようにしたので、実施形態１における端子板１に比較して金型の複雑化を抑えつつスイッチにおける接点板やコンセントにおける刃受のような他の導電部材を端子板１の当接片７に連結して一体化することができ、端子板１と他の導電部材をかしめや溶接などで結合する工程が不要になる。またばね片１０ａの湾曲した中央部が両端部に対して電線挿入孔１０１から離れた位置となるように端子板１の内側に錠ばね１０を配置しているため、ばね片１０ａの中央部が両端部に対して電線挿入孔１０１に近い位置となるように端子板１の内側に錠ばね１０を配置する場合に比較して、ばね片１０ａの可動範囲が十分に確保できて塑性変形が防止できるという利点がある。しかも、解除釦３０若しくは電線１１０（導体１１１）によって錠ばね１０のばね片１０ａが撓められたときに補助ばね片１０ｄ，１０ｅも同様に撓められ、ばね片１０ａと２つの補助ばね片１０ｄ，１０ｅの双方で荷重を受けているため、図１１に示すように補助ばね片１０ｄ，１０ｅを設けない構造と比較してばね片１０ａの湾曲した部分にかかる応力を２つの補助ばね片１０ｄ，１０ｅに分散することでばね片１０ａの塑性変形が抑制できる。但し、補助ばね片１０ｄ，１０ｅは何れか一方のみでも応力分散の効果が期待できるが、本実施形態のように２つ設けることが望ましい。尚、本実施形態では、ばね片１０ａが撓む際にその先端がボディ１００ａの底壁に引っ掛かることがないようにばね片１０ａの先端部が電線及びボディ１００ａの底壁から離れる向きに曲成されており、ばね片１０ａ先端がボディ１００ａの底壁に引っ掛かって動かなくなるのを防いでいる。
【図面の簡単な説明】
【００４６】
【図１】実施形態１を示し、（ａ）は接続位置の一部省略した断面図、（ｂ）は電線の接続が完了した状態の一部省略した断面図である。
【図２】同上の一部省略した分解斜視図である。
【図３】同上の分解斜視図である。
【図４】同上における端子板を示し、（ａ）は正面図、（ｂ）は上面図、（ｃ）は左側面図、（ｄ）は下面図、（ｅ）は右側面図である。
【図５】同上における解除釦を示し、（ａ）は正面図、（ｂ）は上面図、（ｃ）は左側面図、（ｄ）は下面図、（ｅ）は右側面図、（ｆ）は背面図である。
【図６】同上の他の構成を示す分解斜視図である。
【図７】実施形態２の分解斜視図である。
【図８】同上における端子板と錠ばねの斜視図である。
【図９】同上における端子板を示し、（ａ）は正面図、（ｂ）は上面図、（ｃ）は左側面図、（ｄ）は下面図、（ｅ）は右側面図である。
【図１０】同上における錠ばねを示し、（ａ）は正面図、（ｂ）は上面図、（ｃ）は左側面図、（ｄ）は下面図、（ｅ）は右側面図である。
【図１１】同上における錠ばねの他の構成を示す斜視図である。
【図１２】同上における解除釦を示し、（ａ）は正面図、（ｂ）は上面図、（ｃ）は左側面図、（ｄ）は下面図、（ｅ）は右側面図、（ｆ）は背面図である。
【図１３】同上を示し、（ａ）は非接続位置の断面図、（ｂ）は電線が導入された状態の断面図、（ｃ）は電線の接続が完了した状態の断面図である。
【符号の説明】
【００４７】
１  端子板
３  接触片
４  鎖錠片
４ａ  鎖錠部
５  挿通部
３０  解除釦
３１  操作部
３３  押動部
【図１】
2006019182.tif 000003
【図２】
2006019182.tif 000004
【図３】
2006019182.tif 000005
【図４】
2006019182.tif 000006
【図５】
2006019182.tif 000007
【図６】
2006019182.tif 000008
【図７】
2006019182.tif 000009
【図８】
2006019182.tif 000010
【図９】
2006019182.tif 000011
【図１０】
2006019182.tif 000012
【図１１】
2006019182.tif 000013
【図１２】
2006019182.tif 000014
【図１３】
2006019182.tif 000015